(57)【要約】【課題】収納機器の標準化を図り、これらを組合せることで製造を容易とするガス絶縁スイッチギヤを提供する。【解決手段】電力ケーブルが接続されるケーブルヘッド５を有する受電ユニットと、受電ユニットに連接された主回路を開閉する電源側の接地開閉器付断路器７、負荷側の接地開閉器付断路器１１、真空遮断器１０を有する開閉ユニットと、開閉ユニットに連接された隣接盤との接続を行う母線１２を有する母線ユニットと、受電ユニット、開閉ユニットに封入された絶縁ガスとを備えている。【選択図】  図１
2012231576.tif 000002
【特許請求の範囲】
【請求項１】
電力を受電する受電ユニットと、
前記受電ユニットに連接された主回路を開閉する開閉ユニットと、
前記開閉ユニットに連接された隣接盤との接続を行う母線ユニットと、
前記受電ユニット、前記開閉ユニットに封入された絶縁ガスと
を備えたガス絶縁スイッチギヤ。
【請求項２】
前記受電ユニットは、電力ケーブルが接続されるケーブルヘッド、架空線が接続されるブッシングで構成される請求項１に記載のガス絶縁スイッチギヤ。
【請求項３】
前記開閉ユニットは、接地開閉器付断路器、真空遮断器、接地開閉器、断路器で構成される請求項１に記載のガス絶縁スイッチギヤ。
【請求項４】
前記受電ユニットに少なくとも避雷ユニット、計測ユニットの一方を連接し、
この避雷ユニット、計測ユニットに前記開閉ユニットを連接する請求項１乃至請求項３のいずれか１項に記載のガス絶縁スイッチギヤ。
【発明の詳細な説明】
【技術分野】
【０００１】
本発明の実施形態は、真空遮断器、断路器などの収納機器を標準化したガス絶縁スイッチギヤに関する。
【背景技術】
【０００２】
従来、箱体に収納機器を収納し、ＳＦ６ガスのような絶縁ガスを封入して全体形状の小型化を図ったガス絶縁スイッチギヤ（Ｃ−ＧＩＳ）が知られている（例えば、特許文献１参照。）。
【０００３】
この種のガス絶縁スイッチギヤは、図７に示すように、箱体１がＬ字状の隔壁２でガス区分され、背面側と正面側の図示下部の受電室３と、正面側の図示上部の開閉器室４とに分かれて構成されている。
【０００４】
受電室３には、中間部にＬ字状のケーブルヘッド５、天井側に避雷器６、正面側の下部に電極が回動する断路器と、電極が直動する接地開閉器を組合せた電源側の接地開閉器付断路器７が設けられ、接続導体８で接続されている。電源側の接地開閉器付断路器７の負荷側は、隔壁２に固定された絶縁スペーサ９に接続されている。
【０００５】
開閉器室４には、下段に真空バルブを搭載した真空遮断器１０、上段に電源側と同様の負荷側の接地開閉器付断路器１１が設けられ、接続導体８で接続されている。接地開閉器付断路器１１の負荷側は、天井に設けられた盤間を接続する母線１２に接続されている。なお、受電室３、母線１２を除く開閉器室４には、絶縁ガスが封入されている。
【０００６】
このようなガス絶縁スイッチギヤにおいては、適用される電力系統の回路構成に合わせ、ケーブルヘッド５から母線１２までの収納機器を選定している。このため、客先仕様によっては、その都度、箱体１などを設計し、製造が行われている。したがって、設計から製造までに多大の時間を要していた。
【先行技術文献】
【特許文献】
【０００７】
【特許文献１】特開２０１０−２２１３９号公報
【発明の概要】
【発明が解決しようとする課題】
【０００８】
本発明が解決しようとする課題は、収納機器について標準化を図り、電力系統の回路構成に合せて標準化したものを組合せ、製造を容易とし得るガス絶縁スイッチギヤを提供することにある。
【課題を解決するための手段】
【０００９】
上記課題を解決するために、実施形態のガス絶縁スイッチギヤは、電力を受電する受電ユニットと、前記受電ユニットに連接された主回路を開閉する開閉ユニットと、前記開閉ユニットに連接された隣接盤との接続を行う母線ユニットと、前記受電ユニット、前記開閉ユニットに封入された絶縁ガスとを備えている。
【図面の簡単な説明】
【００１０】
【図１】本発明の実施例に係るガス絶縁スイッチギヤの構成を示す側面図。
【図２】本発明の実施例に係るガス絶縁スイッチギヤの受電ユニットを示す側面図。
【図３】本発明の実施例に係るガス絶縁スイッチギヤの受電ユニットを示す側面図。
【図４】本発明の実施例に係るガス絶縁スイッチギヤの開閉ユニットを示す側面図。
【図５】本発明の実施例に係るガス絶縁スイッチギヤの開閉ユニットを示す側面図。
【図６】本発明の実施例に係るガス絶縁スイッチギヤの計測ユニットを示す側面図。
【図７】従来のガス絶縁スイッチギヤの構成を示す側面図。
【発明を実施するための形態】
【００１１】
以下、図面を参照して本発明の実施例を説明する。
【実施例】
【００１２】
本発明の実施例に係るガス絶縁スイッチギヤを図１〜図６を参照して説明する。図１は、本発明の実施例に係るガス絶縁スイッチギヤの構成を示す側面図、図２、図３は、本発明の実施例に係るガス絶縁スイッチギヤの受電ユニットを示す側面図、図４、図５は、本発明の実施例に係るガス絶縁スイッチギヤの開閉ユニットを示す側面図、図６は、本発明の実施例に係るガス絶縁スイッチギヤの計測ユニットを示す側面図である。なお、各図において、従来と同様の構成部分については、同一符号を付した。
【００１３】
図１に示すように、箱体１が複数の６個に分割されており、Ｌ字状の隔壁２を境にして背面側と正面側の図示下部の受電室３と、正面側の図示上部の開閉器室４とに分かれて構成されている。
【００１４】
受電室３の背面側には、図示上段に、電力ケーブルが接続されるＬ字状のケーブルヘッド５を取付けた受電ユニットが設けられている。受電ユニットを構成する第１の箱体２１は、図示下部が開放されている。図示左部は、Ｌ字状の盤壁２の一側面に固定されている。下段には、避雷器６を取付けた避雷ユニットが設けられている。避雷ユニットを構成する第２の箱体２２は、図示上部が開放され第１の箱体２１と連接している。また、図示左部が開放されている。
【００１５】
正面側には、電極が直動する断路器と、同様に電極が直動する接地開閉器を組合せた電源側の接地開閉器付断路器７を取付けた第１の開閉ユニットが設けられている。第１の開閉ユニットを構成する第３の箱体２３は、図示右部が開放され、第２の箱体２２と連接している。また、図示上部は、絶縁スペーサ９を固定した盤壁２の他側面に固定されている。それぞれの収納機器は、接続導体８で接続されている。
【００１６】
開閉器室４には、下段に真空バルブを搭載した真空遮断器１０を取付けた主回路を開閉する第２の開閉ユニットが設けられている。第２の開閉ユニットを構成する第４の箱体２４は、図示下部と右部がＬ字状の盤壁２にそれぞれ固定され、上部が開放されている。上段には、電源側と同様の負荷側の接地開閉器付断路器１１を取付けた第３の開閉ユニットが設けられている。第３の開閉ユニットを構成する第５の箱体２５は、図示下部が開放され、第４の箱体２４と連接されている。天井には、第６の箱体２６に収納された母線１２、所謂、隣接する盤との接続を行う母線ユニットが連接されている。それぞれの収納機器は、接続導体８で接続されている。
【００１７】
なお、受電室３、第６の箱体２６を除く開閉器室４には、絶縁ガスが封入されている。また、第１の箱体２１、第２の箱体２２、第３の箱体２３、第４の箱体２４、第５の箱体２５の相互は、例えば溶接で気密に連接されている。
【００１８】
次に、受電ユニットの他の構成を図２、図３を参照して説明する。
【００１９】
図２に示すように、Ｔ字状のケーブルヘッド２７を第１の箱体２１に取付けている。ケーブルヘッド２７は、図示上下方向の２方向から受電することができ、上述のケーブルヘッド５と同様の屋内用となる。また、屋外用では、図３に示すように、第１の箱体２１に架空線と接続されるブッシング２８を取付けている。
【００２０】
次に、開閉ユニットの他の構成を図４、図５を参照して説明する。
【００２１】
図４に示すように、電極が直動する接地開閉器２９を例えば第３の箱体２３に取付けている。また、図５に示すように、電極が直動する断路器３０を例えば第３の箱体２３に取付けている。
【００２２】
次に、計測ユニットを図６を参照して説明する。
【００２３】
図６に示すように、計器用変成器３１を例えば第２の箱体２２に取付けている。なお、計器用変流器も取付けることができる。計測ユニットは、避雷ユニットの前後の電源側に接続される。
【００２４】
これにより、収納機器を、受電ユニット、避雷ユニット、計測ユニット、開閉ユニット、母線ユニットに標準化することができ、電力系統の回路構成に合わせて各ユニットを選定することができる。このため、客先仕様によって収納機器が多様化しても製造するまでの時間を大幅に短縮することができる。
【００２５】
上記実施例のガス絶縁スイッチギヤによれば、収納機器をユニット化し標準化しているので、設計から製造するまでの時間を大幅に短縮することができる。
【００２６】
上記実施例では、受電ユニット、避雷ユニット、計測ユニット、開閉ユニット、母線ユニットを用いて回路構成を説明したが、電力系統を構成する上で、受電ユニット、開閉ユニット、母線ユニットが必要最低限のものとなる。雷害のない所では避雷ユニットが不要であり、また、計測を外付け機器で行う場合では計測ユニットが不要となる。
【００２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２８】
１、２１、２２、２３、２４、２５、２６  箱体
２  隔壁
３  受電室
４  開閉器室
５、２７  ケーブルヘッド
６  避雷器
７、１１  接地開閉器付断路器
８  接続導体
９  絶縁スペーサ
１０  真空遮断器
１２  母線
２８  ブッシング
２９  接地開閉器
３０  断路器
３１  計器用変成器
【図１】
2012231576.tif 000003
【図２】
2012231576.tif 000004
【図３】
2012231576.tif 000005
【図４】
2012231576.tif 000006
【図５】
2012231576.tif 000007
【図６】
2012231576.tif 000008
【図７】
2012231576.tif 000009